(57)【要約】【課題】本発明の目的は、建物の美観を損なうことがなく、雨滴の浸入防止能力と換気能力とを兼ね備えた建物の換気装置を提供することにある。【解決手段】本発明は、建物Ｈの屋内と屋外とを換気する換気装置５である。換気装置５は、建物Ｈの屋内と屋外とを仕切る外壁３の開口に取り付けられ、内部空間が屋内に連通する中空の装置本体５２、５３、５４と、装置本体５２、５３、５４の外壁側を覆う位置に取り付けられる化粧カバー５１を備えている。化粧カバー５１の屋外側の面は、建物の外壁３表面と略同一視される面上に形成されている。【選択図】        図２
2004211956.tif 000002
【特許請求の範囲】
【請求項１】
建物の屋内と屋外とを換気する換気装置において、
前記建物の屋内と屋外とを仕切る外壁の開口に取り付けられ、内部空間が前記屋内に連通する中空の装置本体と、
該装置本体の前記外壁側を覆う位置に取り付けられる化粧カバーと、を備え、前記化粧カバーの前記屋外側の面は、前記建物の外壁表面と略同一視される面上に形成されていることを特徴とする建物の換気装置。
【請求項２】
前記建物は、陸屋根と、該陸屋根の下で前記外壁に固定された樋と、を備え、
前記外壁の、前記樋の上端よりも下側で、前記樋により少なくとも一部が隠れる位置に、設置されていることを特徴とする請求項１記載の建物の換気装置。
【請求項３】
前記装置本体の上面及び底面は、前記化粧カバーの前記屋外側の面まで達し、
前記屋外側の面において、前記上面の下端と前記化粧カバーの上端との間と、前記底面の前記上端と前記化粧カバーの下端との間と、には、外気を屋内に取り込むための通気口がそれぞれ形成されていることを特徴とする請求項１記載の建物の換気装置。
【請求項４】
前記装置本体は、底面と、該底面の前記屋内側で前記化粧カバーに対向して起立する中間背面と、該中間背面の前記屋内側に設けられた背面カバー部と、を備え、
前記底面は、前記化粧カバーに対向して起立する中間背面の下端に連続し、該中間背面の上端は、前記屋内側で前記化粧カバーに対向して張り出す背面カバー部に連続し、
該背面カバー部は、前記中間背面の上端に連続する底面と、該底面に連続して前記屋内側に起立する後方背面と、から形成され、
前記背面カバー部の前記底面は、前記屋外側に傾斜していることを特徴とする請求項１記載の建物の換気装置。
【請求項５】
前記中間背面の高さは、
前記装置本体の前記底面の前記屋外側の端部と前記化粧カバーの下端との間に形成される開口の高さよりも大きいことを特徴とする請求項４記載の建物の換気装置。
【発明の詳細な説明】
【０００１】
【発明の属する技術分野】
本発明は建物の換気装置に係り、特に建物の屋根付近を換気する建物の換気装置に関する。
【０００２】
【従来の技術】
近年の住宅事情から、敷地面積に制限があり、軒先の突き出し長さが短い、所謂軒の出の少ない屋根の住宅を建築するケースが増えている。
軒の出の少ない屋根の住宅では、小屋裏換気装置を屋根の下に隠すことが困難であるが、軒の出の少ない屋根であっても、屋根裏の換気を充分行う必要がある。また、換気装置を屋根の下に隠し難いため、換気装置が外部に剥き出しになり、雨滴が入りやすくなるという特徴もある。
そのため、外部から目立ち難く、雨滴の入り難い換気装置が、軒の出の少ない屋根向けに種々提案されている（例えば、特許文献１）。
【０００３】
【特許文献１】
実用新案登録第２５０８７６９号公報
特許文献１では、傾斜屋根の軒先が短い建物において、屋根の軒先下の外壁の外側に、屋根裏との間の換気を行う軒先換気金物を設置することが開示されている。
【０００４】
この軒先換気金物は、屋外から外気を取り入れる開口を軒先換気金物の下部に、屋根裏へ外気を送り込む開口を軒先換気金物の上部に設けるとともに、軒先換気金物内面の金物下部の開口から金物上部の開口までの間に、ジグザグ経路を設けて、屋内への雨滴の浸入を防ぐように構成されている。
また、軒先換気金物を屋根の軒先下側に設置して、外部から目立ち難くしている。
【０００５】
【発明が解決しようとする課題】
しかし、上記特許文献１の軒先換気金物は、外壁の外側に設置されるものであるため、上記特許文献１の建物のように傾斜屋根を有する場合には、屋根の軒先の下に設置して外部から目立たないようにすることができるが、傾斜屋根を有しない陸屋根を備えた建物の場合には、外壁上に換気金物が突出することとなり、換気金物によって美観が損なわれるという問題点がある。
近年、シンプルでスタイリッシュなデザインの嗜好が高まっており、陸屋根の建物もシンプルなデザインとして人気を集めているが、陸屋根の建物の美観を損なうことがなく、雨滴の浸入防止能力と換気能力とを兼ね備えた換気装置は知られていない。
【０００６】
本発明の目的は、上記問題点を解決することにあり、建物の美観を損なうことがなく、雨滴の浸入防止能力と換気能力とを兼ね備えた建物の換気装置を提供することにある。
本発明の他の目的は、陸屋根の建物において、隠蔽する部材なく外壁上に設置した場合にも建物全体の美観を損なうことのない建物の換気装置を提供することにある。
【０００７】
【課題を解決するための手段】
上記課題は、請求項１に係る発明によれば、建物の屋内と屋外とを換気する換気装置において、前記建物の屋内と屋外とを仕切る外壁の開口に取り付けられ、内部空間が前記屋内に連通する中空の装置本体と、該装置本体の前記外壁側を覆う位置に取り付けられる化粧カバーと、を備え、前記化粧カバーの前記屋外側の面は、前記建物の外壁表面と略同一視される面上に形成されていることにより解決される。
【０００８】
このように、前記化粧カバーの前記屋外側の面は、前記建物の外壁表面と略同一視される面上に形成されているため、建物の外壁の屋根などで隠蔽されない場所に取り付けても美観を害することのない換気装置とすることができる。
【０００９】
このとき、前記建物は、陸屋根と、該陸屋根の下で前記外壁に固定された樋と、を備え、前記外壁の、前記樋の上端よりも下側で、前記樋により少なくとも一部が隠れる位置に、設置されていると好適である。
このように構成しているため、樋によって換気装置を更に目立ち難くすることができると共に、樋が雨避けの役割を果たし、雨滴が換気装置に入り難くすることができる。
【００１０】
また、前記装置本体の上面及び底面は、前記化粧カバーの前記屋外側の面まで達し、前記屋外側の面において、前記上面の下端と前記化粧カバーの上端との間と、前記底面の前記上端と前記化粧カバーの下端との間と、には、外気を屋内に取り込むための通気口がそれぞれ形成されていると好適である。
このように、前記上面の下端と前記化粧カバーの上端との間と、前記底面の前記上端と前記化粧カバーの下端との間と、には、外気を屋内に取り込むための通気口がそれぞれ形成されているため、化粧カバーの上側及び下側から外気を取込むことが可能となり、換気能力の高い換気装置とすることが可能となる。
【００１１】
また、前記装置本体は、底面と、該底面の前記屋内側で前記化粧カバーに対向して起立する中間背面と、該中間背面の前記屋内側に設けられた背面カバー部と、を備え、前記底面は、前記化粧カバーに対向して起立する中間背面の下端に連続し、該中間背面の上端は、前記屋内側で前記化粧カバーに対向して張り出す背面カバー部に連続し、該背面カバー部は、前記中間背面の上端に連続する底面と、該底面に連続して前記屋内側に起立する後方背面と、から形成され、前記背面カバー部の前記底面は、前記屋外側に傾斜していると好適である。
このように構成しているため、装置本体が中間背面の前側の屋外側部分と背面カバー部の屋内側部分とに分割され、屋内側の背面カバー部に雨滴が入り込み難くすることができ、屋内に雨滴が浸入し難い換気装置とすることが可能となる。
【００１２】
また、前記中間背面の高さは、前記装置本体の前記底面の前記屋外側の端部と前記化粧カバーの下端との間に形成される開口の高さよりも大きいように構成すると好適である。
このように構成しているため、中間背面の屋内側の背面カバー部に雨滴が入り込み難くすることができ、屋内に雨滴が浸入し難い換気装置とすることが可能となる。
【００１３】
【発明の実施の形態】
以下、本発明の一実施形態を図面に基づいて説明する。なお、以下に説明する部材，配置等は本発明を限定するものでなく、本発明の趣旨の範囲内で種々改変することができるものである。
図１は、本発明の一実施形態に係る換気装置５を適用した建物Ｈを建物後側から見た斜視図、図２は、図１のＡ−Ａ線断面図である。
建物Ｈは、屋根の勾配が非常に小さい陸屋根を備えた２階建ての建物である。
【００１４】
建物Ｈは、屋根面１と、外壁３とを備えている。
屋根面１には、屋根面１の周囲三方に、立ち上がり部であるパラペット１Ｐが形成され、パラペット１Ｐの上端には、全長に亘って笠木２が張り巡らされている。
また、屋根面１は、図面奥の建物Ｈ正面側よりも図面手前の建物Ｈ後側が僅かに低くなるように傾斜され、屋根面１の雨滴が建物Ｈ後側に流れるように構成されている。
【００１５】
図２は、図１のＡ−Ａ線断面図であって、２階の天井１５付近の断面を示している。
２階の天井１５の上には天井パネル１３、下地桟１４が配置されている。
天井パネル１３、下地桟１４の上側には、軒桁８が固定され、この軒桁８に屋根大梁１２が連結されている。
【００１６】
軒桁８及び屋根大梁１２の上には、ＡＬＣ（Ａｕｔｏｃｌａｖｅｄ  Ｌｉｇｈｔｗｅｉｇｈｔ  Ｃｏｎｃｒｅｔｅ）パネル１０が不図示の金物で固定され、ＡＬＣパネル１０の上に断熱材９、不図示の防水シートが張られて、屋根面１が構成されている。
また、軒桁８より下には、建物Ｈの屋外と屋内を仕切る面に外壁パネル１６と化粧材１７が張られ、この化粧材１７の表面が外壁３を構成している。
【００１７】
建物Ｈの後側の外壁３には、図１、図２に示すように、屋根面１の僅かに下で、軒桁８の外側に、本実施形態の換気装置５が固定されている。
また、図２に示すように、屋根面１の建物Ｈ後側の端部には、換気装置５よりも上に先端が配置されるよう、塩化ビニル鋼板製の軒７がビス止めされている。この軒７は、塩化ビニル鋼板を屋根面１の端部に沿うよう直角に折り曲げた後、先端を更に鈍角に逆側に折り曲げて形成されている。
【００１８】
換気装置５と屋根面１との間で、軒７の先端より下には、外壁３に、屋根面１からの雨滴を受ける樋４が固定されている。樋４は、建物Ｈの後側の外壁３の全長に亘って水平方向に延びる公知の樋から形成されている。
樋４には、樋４が受けた水を地上に流すための公知のたて樋１１が連結されている。
【００１９】
換気装置５について説明する。
図３〜図６は、換気装置５を示す説明図であり、図３は、換気装置５の平面図、図４は、換気装置５を屋外側から見た正面図、図５は、図４のＢ−Ｂ断面図、図６は、換気装置５の右側面図である。
【００２０】
換気装置５は、図１、図３、図４のように、建物Ｈの後側の外壁３に、両端の柱の内側の領域に水平方向に延びて形成されている。
換気装置５は、図５に示すように、換気装置５前面を構成する化粧カバー５１と、換気装置５の上枠を構成する上部材５２と、換気装置５の下枠及び背面カバー５６を構成する下部材５４と、換気装置５の上部材５２に固定された通気孔プレート５５と、通気孔プレート５５に固定され、先端が背面カバー５６内に張り出す水切部５３と、換気装置５の前側部分５９の左右の端部をそれぞれ閉じる前側キャップ５７と、換気装置５の背面カバー５６の左右の端部をそれぞれ閉じる背面キャップ５８と、を備えている。
上部材５２、下部材５４、水切部５３により、換気装置５の装置本体が構成される。また、換気装置５の内部は、図５に示すように、前側部分５９の領域と、背面カバー５６の領域とに分かれている。
【００２１】
上部材５２は、アルミニウム製からなり、屋外から見える部分は、外壁３と略同色に塗装されてなる。
上部材５２は、ビスにより建物Ｈに取り付けられ、建物Ｈの取り付け面に密着する取り付け部５２ａと、この取り付け部５２ａから分岐して屋外側に延びる前側部分上面部５２ｂと、取り付け部５２ａから屋内側に折り曲げられた接続部５２ｃと、から形成されている。
取り付け部５２ａは、取り付け時に建物Ｈの外壁３と平行で、鉛直になるよう形成されている。また、前側部分上面部５２ｂは、化粧カバー５１の上側から換気装置５内に入り込んだ雨滴を化粧カバー５１方向に流れやすくするため、前側が低くなるよう傾斜して設けられている。
【００２２】
下部材５４は、アルミニウム製からなり、屋外から見える部分は、外壁３と略同色に塗装されてなる。
下部材５４は、ビスにより建物Ｈに取り付けられ、建物Ｈの取り付け面に密着する取り付け部５４ａと、この取り付け部５４ａから分岐して屋外側に延びる前側部分下面部５４ｂと、取り付け部５４ａの上端が屋内側に折り曲げられて形成された背面カバー５６と、から形成されている。
【００２３】
取り付け部５４ａは、取り付け時に建物Ｈの外壁３と平行で、鉛直になるよう形成されている。また、前側部分下面部５４ｂは、換気装置５内に入り込んだ雨滴が化粧カバー５１方向に流れやすくするため、前側が低くなるよう傾斜し、先端が略鉛直下方向に折り曲げられている。
【００２４】
取り付け部５２ａ、５４ａの前方が、前側部分５９、後方が背面カバー５６を構成している。
前側部分上面部５２ｂ、前側部分下面部５４ｂの略水平方向長さは、換気装置５を外壁３に設置したときに、化粧カバー５１が外壁３の面と略同一視される面上に形成されるよう、外壁３の化粧材１７の厚みと略同一視される長さに形成されている。
具体的には、化粧材１７の厚みと略同じか、化粧材１７の厚みとの差が１０ｃｍ以内、好ましくは５ｃｍ以内とするとよい。
【００２５】
背面カバー５６は、取り付け部５４ａの上端から連続する底面５６ａと、底面５６ａの屋内側端部から折り曲げられて鉛直上方に延びる後方背面としての背面５６ｂと、から形成されている。
底面５６ａは、背面カバー５６内に入り込んだ雨滴を化粧カバー５１方向に流れやすくするため、前側が低くなるよう傾斜して形成されている。
【００２６】
また、背面カバー５６の底面５６ａと前側部分下面部５４ｂとの間は、取り付け部５４ａにより段差が形成されている。この段差の高さｈ１は、前側部分下面部５４ｂの先端から化粧カバー５１の下端５１ａまでの高さｈ２よりも大きく、好ましくはｈ２の２倍よりも大きく形成されている。背面カバー５６の底面５６ａと前側部分下面部５４ｂとの間は、特許請求の範囲の中間背面に該当する。
背面カバー５６の水平方向の長さは、図３に示すように、前側部分５９の水平方向の長さよりも短く形成され、両端５６ｒ、５６ｌが前側部分５９の両端５９ｒ、５９ｌよりも内側になる。
このように構成することにより、建物Ｈ後側の両端の柱に隣接する部分には、前側部分５９を形成し、建物Ｈ後側の外壁３の略全長に亘って換気装置５を取り付けたように見せて外観の向上を図ると共に、建物Ｈ内部の柱に隣接する部分まで背面カバー５６が達しないようにして、柱に隣接する部分に空間を残し、取り付けを容易にしている。
【００２７】
通気孔プレート５５は、公知の略板状体からなり、図４で化粧カバー５１が一部切り欠かれた部分に示すように、鉛直方向に延びるスリット状の通気孔５５ａが多数形成されている。
通気孔プレート５５は図５に示すように、装置本体の前側部分５９と背面カバー５６とを仕切る位置に配置され、上端を上部材５２の接続部５２ｃに、下端を下部材５４の取り付け部５４ａに固定されている。
通気孔プレート５５は、装置本体の前側部分５９に浸入した雨滴が、背面カバー５６側に浸入することを防ぐ役割を果たす。
【００２８】
通気孔プレート５５の上端付近には、鋼製からなり、断面くの字に折り曲げられた板状体からなる水切部５３がリベットにて固定されている。
水切部５３は、化粧カバー５１の上側と下側を通って風雨により背面カバー５６内に浸入した雨滴を背面カバー５６の底面５６ａに落下させることにより、雨滴が屋内に浸入することを防ぐ役割を果たす。
【００２９】
化粧カバー５１は、アルミニウム製の略板状体からなり、屋外から見える部分は、外壁３と略同色に塗装されてなる。
図５に示すように、上端には、屋内側に折り曲げられて形成された底面５１ｂと、底面５１ｂの屋内側端部で鉛直上方に折り曲げられて形成された背面５１ｃと、が形成されている。
上部材５２の下端５２ｄと前記化粧カバー５１の先端５１ｄとの間と、前側部分下面部５４ｂ上端と化粧カバー５１の下端５１ａとの間には、外気を屋内に取り込むための通気口がそれぞれ形成されている。
【００３０】
底面５１ｂは、前側が低くなるよう傾斜している。
背面５１ｃの先端５１ｄは、上部材５２の下端５２ｄよりも上の位置に形成され、上部材５２の下端５２ｄと背面５１ｃの先端５１ｄとの間を通って雨滴が入り難いように形成されている。
【００３１】
前側キャップ５７は、換気装置５の前側部分５９の側端部を閉じるキャップであり、左右に一つずつネジにより固着されている。
背面キャップ５８は、換気装置５の背面カバー５６の側端部を閉じるキャップであり、左右に一つずつ固着されている。
前側キャップ５７、背面キャップ５８は、装置本体である上部材５２、下部材５４と、化粧カバー５１とを互いに固定する役割を果たす。
【００３２】
次に、本実施形態の換気装置５の建物Ｈへの取り付け工程について説明する。建物Ｈに外壁パネル１６、化粧材１７を張り、外壁３を形成する。このとき、換気装置５を取り付ける部分は、外壁パネル１６及び化粧材１７を張らず、水平方向に延びる開口としておく。
ＡＬＣパネル１０の上に、断熱材９を張る。次に、断熱材９の上であって、建物Ｈの後端部全長に亘って、軒７をビス止めし、断熱材９及び軒７全体に不図示の防水シートを張って、屋根面１を形成する。
【００３３】
換気装置５を化粧材１７を張っていない開口に嵌め込み、上部材の取り付け部５２ａ、下部材の取り付け部５４ａを建物Ｈ側にビス止めする。
取り付け部５２ａ、５２ｂが屋外側に露出している部分に、変性シリコンシーリング材１８によりシーリングを施し、ビス止め箇所をシールする。
次いで、樋４の保持部材１９を外壁３にビス止めして樋４を固定し、樋４にたて樋１１を固定して、換気装置５の取り付け工程を完了する。
【００３４】
なお、換気装置５には、火災などによる温度上昇時に通気孔５５ａを自動閉鎖する防火ダンパー７２を設置してもよい。
防火ダンパー７２を設置した換気装置５の例を、図７に示す。
図７の換気装置５は、水切部５３の代わりに、防火ダンパー７２と水切部７１を備えた点を除いては、図２〜図６に示す換気装置５と同様の構成であるため、防火ダンパー７２及び水切部７１以外の構成についての説明を省略する。
【００３５】
水切部７１は、一方の端部７１ａが鈍角に折り曲げられ、他方の端部７１ｂが略直角に折り曲げられた断面略コの字型の板状体からなる。
鈍角に折り曲げられた端部７１ａは、通常時、防火ダンパー７２のストッパー７２ｃによって通気孔プレート５５に当接固定されている。
【００３６】
防火ダンパー７２は、換気装置５の長手方向に延びる軸７２ａと、一端がこの軸７２ａを囲む略円筒状に形成された板体からなり通気孔プレート５５を支持する支持板７２ｂと、通常時水切部７１の端部７１ａを通気孔プレート５５側に支持するストッパー７２ｃと、通常時ストッパー７２ｃを通気孔プレート５５に固定する熱溶融性材７２ｄと、水切部７１を図７の矢印Ｃ方向に付勢する不図示のバネを備えている。
軸７２ａは、換気装置５の長手方向に延び、支持板７２ｂを回動可能にする。
【００３７】
支持板７２ｂは、一端が軸７２ａを囲む略円筒状に形成された板体からなる。支持板７２ｂの板状の部分は、通気孔プレート５５にリベットで固定されており、支持板７２ｂ回動時に、支持板７２ｂと共に通気孔プレート５５も一体となって回動するよう構成されている。
ストッパー７２ｃは、２枚の断面略Ｌ字状の金物が、Ｌ字の鉛直部分を互いに対向させてＬ字の水平部分が重ねられた形状からなる。断面Ｌ字状の金物は、それぞれＬ字の水平部分に孔が穿設され、２枚重ねられたときにこれらの孔が重なるように形成されている。
【００３８】
通気孔プレート５５の上端付近には、２枚のＬ字の水平部分を挿通するための不図示のスリットが形成されている。
２枚のＬ字状の金物は、通気孔プレート５５の不図示のスリットを貫通して配置され、鉛直部分で通気孔プレート５５及び水切部７１の端部７１ａを挟持する。また、Ｌ字状の金物の孔には、熱溶融性材７２ｄが挿入され、２枚のＬ字状の金物が、この熱溶融性材７２ｄにより支持されている。
【００３９】
熱溶融性材７２ｄは、鉛、錫、カドミウム、ビスマス等を含む周知の可融合金からなり、溶融温度が、木材の着火温度である２７０℃以下、好ましくは１００℃以下、更に好ましくは７０〜７５℃程度の可融合金を用いる。
【００４０】
火災発生により、熱溶融性材７２ｄの融点以上の温度に達した場合、熱溶融性材７２ｄは溶融し、ストッパー７２ｃを構成する２枚のＬ字状の金物が、通気孔プレート５５から離れる方向に外れる。不図示のバネの付勢力により、軸７２ａを中心に水切部７１と支持板７２ｂが一体となって、矢印Ｃの方向に回転し、水切部７１が通気孔５５ａを閉鎖する。
【００４１】
【発明の効果】
以上のように本発明によれば、前記化粧カバーの前記屋外側の面は、前記建物の外壁表面と略同一視される面上に形成されているため、建物の外壁の屋根などで隠蔽されない場所に取り付けても美観を害することのない換気装置とすることができる。
また、前記上面の下端と前記化粧カバーの上端との間と、前記底面の前記上端と前記化粧カバーの下端との間と、には、外気を屋内に取り込むための通気口がそれぞれ形成されているため、化粧カバーの上側及び下側から外気を取込むことが可能となり、換気能力の高い換気装置とすることが可能となる。
【図面の簡単な説明】
【図１】本発明の一実施形態に係る換気装置を適用した建物を建物後側から見た斜視図である。
【図２】図１のＡ−Ａ線断面図である。
【図３】本発明の一実施形態に係る換気装置の平面図である。
【図４】本発明の一実施形態に係る換気装置を屋外側から見た正面図である。
【図５】図４のＢ−Ｂ断面図である。
【図６】本発明の一実施形態に係る換気装置の右側面図である。
【図７】本発明の一実施形態に係る換気装置であって、防火ダンパーを備えたものの断面図である。
【符号の説明】
Ｈ  建物
１  屋根面
１Ｐ  パラペット
２  笠木
３  外壁
４  樋
５  換気装置
７  軒
８  軒桁
９  断熱材
１０  ＡＬＣパネル
１１  たて樋
１２  屋根大梁
１３  天井パネル
１４  下地桟
１５  ２階の天井
１６  外壁パネル
１７  化粧材
５１  化粧カバー
５２  上部材
５３、７１  水切部
５４  下部材
５５  通気孔プレート
５６  背面カバー
５７  前側キャップ
５８  背面キャップ
５９  前側部分
７２  防火ダンパー
【図１】
2004211956.tif 000003
【図２】
2004211956.tif 000004
【図３】
2004211956.tif 000005
【図４】
2004211956.tif 000006
【図５】
2004211956.tif 000007
【図６】
2004211956.tif 000008
【図７】
2004211956.tif 000009